(57)【特許請求の範囲】
【請求項１】
床下地材上に、接合縁に厚さ内に横方向の凹入部を形成した板材を、所定間隙を空けて幅Ｄ０の目地を形成して配置し、該板材を前記床下地材に固定する金具であって、
前記目地内に配置でき、かつ前記板材の厚さ内に収まる形状大きさに形成した本体部と、該本体部の所定高さに横方向に突出した係止片とからなり、前記本体部内に上方から下方に向けてビス類を貫通可能な中空部を形成し、
前記係止片は前記本体部に対して回動可能に配置し、
前記係止片は、幅Ｄ３を目地幅Ｄ０より小さく、長さＬ１を目地幅Ｄ０より長くして前記凹入部内に位置できる板状に形成し、前記係止片の下面両側に突部を形成したことを特徴とする取用金具。
【請求項２】
本体部を縦方向に配置した筒状部とし、該筒状部の外径を構築予定の目地と略同一としたことを特徴とする請求項１記載の取付金具。
【請求項３】
床下地上に、幅Ｄ０の目地を設けて床板を固定する方法であって、以下の工程によることを特徴とする床板の取付方法。
(1) 取付金具は、中空部を有する本体部の所定高さに横方向の係止片を有し、該係止片は前記本体部に対して回動可能とし、前記係止片は、幅Ｄ３を目地幅Ｄ０より小さく、長さＬ１を目地幅Ｄ０より長く形成した、構成としてある。前記床板は、隣接する他の床板と接合する縁の厚さ内に、隣接する他の床板と対向するように、横方向の凹入部が形成され、該凹入部は、前記取付金具の係止片の高さに対応させて形成してある。
(2) 前記床下地材の上面で、構築予定の前記各床板間の各目地位置に沿って、前記取付金具の係止片を、目地方向と前記係止片の長さ方向を一致させて、載置し、前記取付金具の中空部にビス類を挿通して、前記中空部を案内として前記床下地に前記ビス類を打ち込み、前記各取付金具を緩く保持する。
(3) 次に、前記床下地材の上面であって、前記各目地位置の取付金具間に、各床板の接合縁を合わせながら、載置する。
(4) 続いて、前記床板を載置しながら、あるいは、総ての床板を載置し終わった後に、前記取付金具の係止片を前記床板の凹入部内に挿入して、ビス類を締めて、前記係止片を前記各床板の凹入部壁に押圧して、前記床板を前記床下地材に固定する。
【請求項４】
床下地上に、幅Ｄ０の目地を設けて床板を固定する方法であって、以下の工程によることを特徴とする床板の取付方法。
(1) 取付金具は、中空部を有する本体部の所定高さに横方向の係止片を有し、該係止片は前記本体部に対して回動可能とし、前記係止片は、幅Ｄ３を目地幅Ｄ０より小さく、長さＬ１を目地幅Ｄ０より長く形成した、構成としてある。前記床板は、隣接する他の床板と接合する縁の厚さ内に、隣接する他の床板と対向するように、横方向の凹入部が形成され、該凹入部は、前記取付金具の係止片の高さに対応させて形成してある。
(2) 前記床下地材の上面の所定位置に、第一の床板を取付ける。
(3) 前記床下地材の上面であって、前記第一の床板の接合縁に合わせて、目地方向に係止片の長さ方向を一致させ、前記取付金具を配置して、前記本体部の中空部にビス類を挿入して、前記中空部を案内として前記床下地に前記ビス類を打ち込み、第一の取付金具を前記床下地材に緩く仮止めする。
(4) 次に、前記取付金具の本体部に沿って、第二の床板の第一接合縁の側を配置する。
(5) 次に、前記第二の床板の第二接合縁に、同様にして第二の取付金具を配置して、本体部の中空部にビス類を挿入して、前記中空部を案内として前記床下地に前記ビス類を打ち込み、前記第二の取付金具を前記床下地材に緩く仮止めする。
(6) 続いて、第三の床板を配置する前又は後に、前記第一の取付金具の係止片を前記第一第二の床板の凹入部内に挿入して、ビス類を締めて、前記係止片を前記第一第二の床板の凹入部壁に押圧する。
(7) 以下、同様に床板を構築する。
【請求項５】
以下の要件を総て具備して構成することを特徴とする床板の取付構造。
(1)  前記床下地材上に幅Ｄ０の目地を空けて、厚さ内に横方向の凹入部を有する床板を、並列して配置する。
(2) 前記目地内に配置された取付金具は、中空部を有する本体部の所定高さに横方向の係止片を有し、該係止片は前記本体部に対して回動可能とし、前記係止片は、幅Ｄ３を目地幅Ｄ０より小さく、長さＬ１を目地幅Ｄ０より長く形成する。
(3)  前記本体部の中空部にビス類を挿入して、前記床下地に前記ビス類を打ち込み、前記取付金具を前記床下地材に固定する。
(4)  前記取付金具の横方向の係止片を、前記凹入部の下壁面内に押圧して、前記床板を床下地材に固定する。
(5)  前記取付金具は、前記固定状態において、前記ビス類を緩めると、前記本体部が原位置を保ち、前記係止片が回転して、長さ方向を前記目地方向に一致させるように回転可能となるように構成してある。
【発明の詳細な説明】
【０００１】
【発明の属する技術分野】
板材を下地に固定する為の取付金具、その取付金具を使って主にベランダ等での床板の固定に適用する床板の取付方法及びその取付金具を使った床板の取付構造に関する。
【０００２】
【従来の技術】
ベランダ等にすのこ状の床板を構築する場合、下地材上に、小幅な床板間隔を空けて並べて、床板から下地材にビスを打ち、固定していた。また、通常、ビスの頭部を隠す為に、化粧だぼを打ち込んでいた。
【０００３】
【発明が解決しようとする課題】
前記従来の場合、床板の間からゴミや微細な物が下地材側に入った場合、これを除去する為には、総てのビス類を取り外して、床板を外さなければならないため、面倒な作業となっていた。また、ビスなどを打ち込む際に、床板を動かないように保持する必要があり、作業が煩雑となっていた。
【０００４】
【課題を解決するための手段】
然るにこの発明では、ビスを挿通できる本体部と係止片とから構成した取付金具を使用するので、前記問題点を解決した。
【０００５】
即ち、取付金具の発明は、床下地材上に、接合縁に厚さ内に横方向の凹入部を形成した板材を、所定間隙を空けて幅Ｄ０の目地を形成して配置し、該板材を前記床下地材に固定する金具であって、前記目地内に配置でき、かつ前記板材の厚さ内に収まる形状大きさに形成した本体部と、該本体部の所定高さに横方向に突出した係止片とからなり、前記本体部内に上方から下方に向けてビス類を貫通可能な中空部を形成し、前記係止片は前記本体部に対して回動可能に配置し、前記係止片は、幅Ｄ３を目地幅Ｄ０より小さく、長さＬ１を目地幅Ｄ０より長くして前記凹入部内に位置できる板状に形成し、前記係止片の下面両側に突部を形成したことを特徴とする取用金具である。また、前記において、本体部を縦方向に配置した筒状部とし、該筒状部の外径を構築予定の目地と略同一としたことを特徴とする取付金具である。
【０００６】
また、取付方法の発明は、床下地上に、幅Ｄ０の目地を設けて床板を固定する方法であって、以下の工程によることを特徴とする床板の取付方法である。
(1) 取付金具は、中空部を有する本体部の所定高さに横方向の係止片を有し、該係止片は前記本体部に対して回動可能とし、前記係止片は、幅Ｄ３を目地幅Ｄ０より小さく、長さＬ１を目地幅Ｄ０より長く形成した、構成としてある。
前記床板は、隣接する他の床板と接合する縁の厚さ内に、隣接する他の床板と対向するように、横方向の凹入部が形成され、該凹入部は、前記取付金具の係止片の高さに対応させて形成してある。
(2) 前記床下地材の上面で、構築予定の前記各床板間の各目地位置に沿って、前記取付金具の係止片を、目地方向と前記係止片の長さ方向を一致させて、載置し、前記取付金具の中空部にビス類を挿通して、前記中空部を案内として前記床下地に前記ビス類を打ち込み、前記各取付金具を緩く保持する。
(3) 次に、前記床下地材の上面であって、前記各目地位置の取付金具間に、各床板の接合縁を合わせながら、載置する。
(4) 続いて、前記床板を載置しながら、あるいは、総ての床板を載置し終わった後に、前記取付金具の係止片を前記床板の凹入部内に挿入して、ビス類を締めて、前記係止片を前記各床板の凹入部壁に押圧して、前記床板を前記床下地材に固定する。
【０００７】
また、他の取付方法の発明は、床下地上に、幅Ｄ０の目地を設けて床板を固定する方法であって、以下の工程によることを特徴とする床板の取付方法である。
(1) 取付金具は、中空部を有する本体部の所定高さに横方向の係止片を有し、該係止片は前記本体部に対して回動可能とし、前記係止片は、幅Ｄ３を目地幅Ｄ０より小さく、長さＬ１を目地幅Ｄ０より長く形成した、構成としてある。前記床板は、隣接する他の床板と接合する縁の厚さ内に、隣接する他の床板と対向するように、横方向の凹入部が形成され、該凹入部は、前記取付金具の係止片の高さに対応させて形成してある。
(2) 前記床下地材の上面の所定位置に、第一の床板を取付ける。
(3) 前記床下地材の上面であって、前記第一の床板の接合縁に合わせて、目地方向に係止片の長さ方向を一致させ、前記取付金具を配置して、前記本体部の中空部にビス類を挿入して、前記中空部を案内として前記床下地に前記ビス類を打ち込み、第一の取付金具を前記床下地材に緩く仮止めする。
(4) 次に、前記取付金具の本体部に沿って、第二の床板の第一接合縁の側を配置する。
(5) 次に、前記第二の床板の第二接合縁に、同様にして第二の取付金具を配置して、本体部の中空部にビス類を挿入して、前記中空部を案内として前記床下地に前記ビス類を打ち込み、前記第二の取付金具を前記床下地材に緩く仮止めする。
(6) 続いて、第三の床板を配置する前又は後に、前記第一の取付金具の係止片を前記第一第二の床板の凹入部内に挿入して、ビス類を締めて、前記係止片を前記第一第二の床板の凹入部壁に押圧する。
(7) 以下、同様に床板を構築する。
【０００８】
また、取付構造の発明は、以下の要件を総て具備して構成することを特徴とする床板の取付構造である。
(1)  前記床下地材上に幅Ｄ０の目地を空けて、厚さ内に横方向の凹入部を有する床板を、並列して配置する。
(2) 前記目地内に配置された取付金具は、中空部を有する本体部の所定高さに横方向の係止片を有し、該係止片は前記本体部に対して回動可能とし、前記係止片は、幅Ｄ３を目地幅Ｄ０より小さく、長さＬ１を目地幅Ｄ０より長く形成する。
(3)  前記本体部の中空部にビス類を挿入して、前記床下地に前記ビス類を打ち込み、前記取付金具を前記床下地材に固定する。
(4)  前記取付金具の横方向の係止片を、前記凹入部の下壁面内に押圧して、前記床板を床下地材に固定する。
(5)  前記取付金具は、前記固定状態において、前記ビス類を緩めると、前記本体部が原位置を保ち、前記係止片が回転して、長さ方向を前記目地方向に一致させるように回転可能となるように構成してある。
【０００９】
前記におけるビス類とは、先が尖ってねじ山を有するビス類、ねじ山の無い釘類、先が尖っていないボルト類等を含む。
【００１０】
【発明の実施の形態】
この発明の取付金具１は、筒状部３と筒状部３の上面に配置される係止片６とから構成する（図１）。
【００１１】
筒状部３は、構築予定の床板を施工する際に形成される目地内（目地幅Ｄ０）内に配置できる形状、大きさで形成される（図１（ａ）、図４（ｃ））。
【００１２】
係止片６は、構築予定の床板１２の接合縁に係止できる形状で形成する。例えば、床板１２の接合縁として、厚さ内に凹入部１７を形成して、凹入部１７の凹入部壁の下面１８に、係止片６を押圧して、下面８の突起部１０を係止できるような構造とする（図１（ａ）、図４（ｃ））。
【００１３】
また、取付金具１の上方から、ビス２４を筒状部３内を挿通して、ビスを床下地２０にねじ込んだ場合、ビスを緩めるとビスの周りに取付金具１を回動させることができ（図４（ｂ））、ビスを締めると、取付金具１の回転を規制して、床下地２０に固定できる（図１（ａ）、図４（ｃ））。
【００１４】
【実施例１】
図面に基づきこの発明の実施例を説明する。
【００１５】
［１］取付金具１の構成
【００１６】
取付金具１は、縦に配置した筒状部３と筒状部３の上面に配置される係止片６とから構成する（図１）。
【００１７】
筒状部３は、高さＨ３、外径Ｄ１で、ビス２４を挿通できる内径Ｄ２の中空部４を有する円筒形状で形成する。筒状部３の外径Ｄ１は、形成予定の目地幅Ｄ０（図３、図４）と略同一としてある。
【００１８】
係止片６は、形成予定の目地幅Ｄ０（図３、図４）より小さな幅Ｄ３、長さＬ１の細長い板状で、長さＬ１は、目地幅Ｄ０より十分長く設定されている。また、係止片６の中央部に、筒状部３の中空部４と連通できる透孔９を穿設してある。また、係止片６の両端７、７は半円状に形成され、角をとってある（図１（ｂ））。
【００１９】
また、係止片６の下面８で、透孔９を挟んで両側に、下方に向けて突出する突起部１０、１０を夫々形成してある。両突起部１０、１０は中心（透孔９）から均等位置に配置され、両突起部１０、１０の間隔Ｌ２は、目地幅Ｄ０より十分長く、後述する床板１２の凹入部１７内に位置できる長さに形成されている。また、突起部１０は外形が部分球状に形成されている。
【００２０】
［２］床板１２の構成
【００２１】
床板１２は、厚さＨ０で所定の幅、長さを有する板状であり、接合縁１３、１３の厚さ内に、横方向の凹入部１７を、長さ方向ほぼ全長に亘り形成してある（図３）。凹入部１７の凹入部壁の下面１８は、床板１２の下面１５から高さＨ１で形成されている（図４（ａ））。高さＨ１は、取付金具１の筒状部３の高さＨ３と略同一に設定されている（図４（ａ））。
【００２２】
［３］床板１２の取り付け
【００２３】
（１）第一の取付方法を説明する。
【００２４】
床下地材２０、２０を取り付け、予め床板１２の割り付けに従って、目地２２の位置２２ａ、２２ａが示されている。各目地位置２２ａに合わせて、床下地材２０の上面２１に取付金具１、１を載置し、透孔９及び中空部４に挿通したビス２４を床下地材２０にねじ込み、緩い状態で保持する（図５（ａ）、図４（ａ））。この際、床下地材２０の上面２１に載置された筒状部３の中空部４に案内されて、ビス２４が打ち込まれるので、ビス２４はほぼ鉛直下方方向で、床下地板２０に打ち込まれる。また、この状態で、係止片６は回転可能な状態になっており、係止片６の長さ方向を目地２２方向に一致させておく。
【００２５】
次に、床下地材２０の上面２１に床板１２、１２を載置する（図５（ｂ）、図４（ａ））。この際、取付金具１、１の筒状部３を案内として、取付金具１、１間に、床板１２、１２を載置するだけで、予め設定した目地位置２２ａに合わせて、床板１２、１２を配置できる。
【００２６】
次に、各取付金具１、１で、係止片６を約９０°回動させて、係止片６の突起部１０を床板１２の凹入部１７内に収容する（図５（ｃ））。この際、突起部１０の曲面の傾斜（部分球状）が案内となり、回転した係止片６は、凹入部７の開口縁に滞ることなく凹入部１７内に挿入される。また、係止片６の両端７、７の角を取って曲線状に形成されているので、更に効率良く案内される。
【００２７】
次に、緩く止めてあったビス２４、２４を締め付ければ、筒状部３と係止片６とは一体となって、床下地材２０に固定される（図４（ｃ））。この際、筒状部３の高さＨ３を凹入部壁の下面１８の高さＨ１と略同一に形成してあるので、係止片６の下面８が凹入部壁の下面１８を押圧するので、取付金具１、１に挟まれた床板１２は床下地材２０、２０に固定される。また、係止片６の下面８が凹入部壁の下面１８を押圧するのに伴い、係止片６の下面８の突起部１０が凹入部壁の下面１８に押し付けられ、係止片６と床板１２とは確実に係止される。
【００２８】
また、この際、取付金具１を筒状部３と係止片６とに分離した構造としてあるので、筒状部３が両側の床板１２、１２により強く挟まれている場合であっても、係止片６のみを独立して回動できるので、取付作業が容易である。
【００２９】
ここで、ビス２４、２４の締め付けは、総ての床板１２、１２を配置した後にすることもできるが、少なくとも取付金具１の両側に床板１２、１２が配置された後であれば、逐次、ビス２４、２４を締め付けることもできる。従って、多くの作業者が一度に作業を行うことができ、極めて短期間で、床板１２、１２の取り付けがを完了させることができる。
【００３０】
このようにして、総てのビス２４、２４の締め付けが終わった段階で、床板１２、１２の固定が完了し、床板１２の取付構造２６を構成する（図２、図３）。ここで、最も端に位置する床板１２の端縁は、例えば、上面から又は凹入部４内で、ビスを打ち込む等、従来の方法で固定する（図示していない）。
【００３１】
（２）次に、床板１２の取り外しについて説明する。
【００３２】
清掃や破損の為に取り外しを希望する床板１２Ｆの両側の取付金具１、１のビス２４を緩めれば、ビス２４を取り外すことなく、係止片６を回動可能な状態とすることができる。従って、この状態で、係止片６を回転させて、長さ方向を目地２２方向に一致させれば、希望する一枚の床板１２Ｆのみを取り外すことができる（図７）。この際、ビス２４を緩めた状態であっても、緩めた取付金具１の筒状部３は、依然として原位置を保っているので、載置されたままの他の床板１２、１２が、ずれるおそれはない。
【００３３】
また、この際、取付金具１を筒状部３と係止片６とに分離した構造としてあるので、筒状部３が両側の床板１２、１２により強く挟まれて取り付けられている場合であっても、ビスを緩めて、係止片６のみを独立して回動できる。
【００３４】
床板１２Ｆを取り外して、目地２２内や床下地材２０側の清掃や、目地２２から床下地材２０側に落下した物を拾うことができる。
【００３５】
清掃作業等が完了したならば、取り外した床板（破損した場合には新規な床板）１２Ｆを元の位置（取付金具１、１間）に戻し、取り付けた際と同様に、係止片６を回転させて、ビス２４を締めれば、元の床板１２、１２Ｆの取付構造２６とすることができる。
【００３６】
（３）次に第二の取付方法を説明する。
【００３７】
前記実施例では、予め相当数の取付金具１、１を床下地材２０、２０に仮止めした後で、床板１２、１２を配置したが、この実施例では、取付金具１、１を仮止めしながら床板１２を配置する実施例である。
【００３８】
床下地材２０の上面に一の床板１２Ａが固定されている。床板１２Ａの接合縁１４Ａに合わせて、即ち形成予定の目地位置２２ａに合わせて、床下地材２０の上面２１に取付金具１Ａ、１Ａを載置し、透孔９及び中空部４を挿通したビス２４を床下地材２０にねじ込み、緩く保持する（図６（ａ）、図４（ｂ））。この状態で、係止片６Ａは回転可能な状態になっており、係止片６Ａの長さ方向を目地位置２２ａ方向に一致させておく。
【００３９】
次に、床下地材２０の上面２１に、次の床板１２Ｂを取付金具１Ａ、１Ａを案内として、取付金具１Ａ、１Ａに、床板１２Ｂの接合縁１３Ｂを当てるように配置する。続いて、同様に、床板１２Ｂの接合縁１４Ｂに、取付金具１Ｂ、１Ｂを緩く止め、係止片６Ｂを回転可能な状態としておき、係止片６Ｂの長さ方向を目地方向２２ａに一致させておく（図６（ｂ））。
【００４０】
床板１２Ｂが取付金具１Ａ、１Ｂに挟まれて、固定位置が確定したならば、床板１２Ｂ、１２Ａに挟まれた取付金具１Ａ、１Ａにおいて、前記実施例と同様に、係止片６Ａを９０°回動させて、続いて、緩く止めてあったビス２４を締め付ける（図６（ｃ）、図４（ｃ））。ビス２４の締め付けで、取付金具１Ａは床下地材２０に固定され、係止片６Ａ及び係止片６Ａの突部１０により、床板１２Ｂの凹入部壁の下面１８を押圧する。従って、床板１２Ｂは、床下地材２０に固定される。
【００４１】
以下同様に、次の床板１２Ｃ、１２Ｄ、取付金具１Ｃ、１Ｄを順次取り付けていけば（図６（ｄ））、床板の取付構造２６を構築できる（図２、図３）。
【００４２】
［４］他の実施例
【００４３】
前記実施例において、筒状部３の外径Ｄ１は、形成予定の目地幅Ｄ０と略同一としたので、施工を効率良くできるが、外径Ｄ１は少なくとも目地２２内に納まるように、目地幅Ｄ０より小さく形成することが必要である（図示していない）。
【００４４】
前記実施例において、筒状部３は円筒状としたが、ビスを挿通できる中空部４を有すれば角筒など他の形状とすることもできる（図示していない）。
【００４５】
また、筒状部３は、筒状以外の他の形状とすることもできる。例えば、係止片６を高さＨ３に保持し、かつビス２４を挿通できれば、貫通孔を有する球状、枠状等が考えられる（図示していない）。
【００４６】
【発明の効果】
この発明の取付金具では、ビス類を挿通できる本体部と係止片とから構成したので、ビス類を締め付けることにより、凹入部を床板等の目地内に配置され、両側の板材の接合縁に係止して、板材を下地に固定できる。
【００４７】
また、ビス類を挿通可能であるので、ビスを挿通した状態で、ビスを緩く下地にねじ込めば、取付金物のみを回動することができ、係止片を板材の接合縁に係脱が容易である。
【００４８】
また、本体部として、筒状部を形成した場合には、筒状部の中空部を案内として、ビス類を垂直に下地に打ち込みできる。
【００４９】
また、係止片の下面に突部を形成した場合には、係止片を板材の接合縁に係止した際に、突部により確実に係止できる。
【００５０】
また、この発明の取付金具又は取付方法によれば、下地上に目地予定線を墨だしすれば、墨だし位置に合わせて、取付金具を打ち付けるだけで、取付金物を案内として、板材を載置するだけで、所定位置に板材を配置できるので、目地を空けた板材の取付作業を、熟練作業を不要にして、効率化かつ簡略化できる効果がある。
【００５１】
また、この発明の取付金具又は取付構造では、取り付けてある他の板材に影響を与えることなく、取付金具の係止片を緩めた板材のみを容易に取り外しすることができる効果がある。
【図面の簡単な説明】
【図１】この発明の実施例の取付金具で、（ａ）は正面図、（ｂ）は平面図、（ｃ）は（ｂ）のＡ−Ａ線における断面図である。
【図２】この発明の実施例により構築した床板の正面図である。
【図３】同じく平面図である。
【図４】（ａ）〜（ｃ）は、この発明の取付方法全般を説明する縦断面図である。
【図５】（ａ）〜（ｃ）は、この発明の第一の取付方法を説明する概略した平面図である。
【図６】（ａ）〜（ｄ）は、この発明の第二の取付方法を説明する概略した平面図である。
【図７】構築後に一枚の床板を取り外した状態の正面図である。
【符号の説明】
１    取付金具
３    筒状部（本体部）
４    筒状部の中空部
６    係止片
７    係止片の両端
８    係止片の下面
９    係止片の透孔
１０  係止片の突起部
１２  床板
１３  床板の接合縁
１４  床板の接合縁
１５  床板の下面
１７  床板の凹入部
１８  凹入部壁の下面
２０  床下地材
２１  床下地材の上面
２２  目地
２２ａ  目地位置
２４  ビス
２６  取付構造
【図１】
0004061616.tif 000002
【図２】
0004061616.tif 000003
【図３】
0004061616.tif 000004
【図４】
0004061616.tif 000005
【図５】
0004061616.tif 000006
【図６】
0004061616.tif 000007
【図７】
0004061616.tif 000008